(57)【要約】      （修正有）【課題】男性の性器（陰茎と陰嚢）を身体の両足のつけ根部分の密着から開放して、汗によるべとつきをなくして爽快感を増進させると共に、睾丸が体温で常に暖められている状態を解消する。【解決手段】男性下着の前面部分を二重にして袋状のポケットのような形態を作り、性器全体をそのポケット内に収納する。ポケットに性器全体を収納するために、ポケットの側の生地（内側で肌に触れている基部）の中心線に沿って、肛門付近の中心部より３ｃｍ付近の地点から上部に向かって１０ｃｍ〜１５ｃｍ位の地点まで、性器全体を引っ張り入れるための、切り込み（開口部）をつける。放尿のための陰茎取り出し口（開口部）は、そのポケットの前面（外側で性器全体を覆う生地）に、従来の形態と同様に取り付ける。ポケットの右側には、右手で性器を収納したり、放尿のために陰茎を出し入れするための、開口部を作る。【選択図】図１
2011153396.tif 000002
【特許請求の範囲】
【請求項１】
男性用の下着（以下男性用の、パンツ、ブリーフ、トランクス、やスポーツ用など、全てのパンツ等を総称して、このように表記する）について、その前面部分を二重にして、袋状のポケットのような形態を作り、男性の性器全体（陰茎と陰嚢）を収納するためのポケット（収納スペース）を有する男性用の下着。
【請求項２】
男性用の下着の、肌に触れている基部の前面部分の生地（ポケットになる二重部分の内側の生地）について、その中心線に沿って、肛門付近と思われる中心部付近の地点から、上部に向かって１０ｃｍ〜１５ｃｍ位の地点まで、性器全体（陰茎と陰嚢）を掴み出して、前面の基部から露出させてポケットに引っ張り出して収納するための、切り込み（開口部）をつけている男性用の下着。
【請求項３】
男性用の下着の、肌に触れている基部の前面部分の生地の外側で、性器全体覆っている部分の生地について、放尿（小用）のための陰茎取り出し口を、従来のパンツ等の形態と同様に、開口部として取り付けている、開閉用のファスナーの装着も考えられる男性用の下着。
【請求項４】
男性用の下着の、基部の前面部分の生地と、その外側の生地で性器全体を覆う形になっている袋状の収納ポケットの内側に、右手を差し入れて、性器全体（陰茎と陰嚢）を基部前面の生地から掴み出して露出させ、ポケットに引っ張り出して座りよく収納させたりするための、ポケットの右手側に開口部を有しており、開閉用のファスナーの装着も考えられる男性用の下着。
【発明の詳細な説明】
【技術分野】
【０００１】男性用の全ての下着の形態について、発想を根底から変えて製作する。
全ての男性用下着（パンツ、ブリーフ、トランクス、スポーツ用下着など）の前面に袋状のポケットを設けて、その中に男性性器（陰茎と陰嚢）を収納して、男性性器が両足のつけ根部分の肌に接触するのを防止する男性用の下着。
【背景技術】
【０００２】従来の男性用下着（パンツ、ブリーフ、トランクス、スポーツ用下着など）の形態は、男性性器（陰茎と陰嚢）一体を押さえ込んで包み込む形態になっているため、男性性器（陰茎と陰嚢）が、常に身体の両足のつけ根部分に密着してしまう状態になって、汗ばむなどの不快感があり、男性特有の生理学的な観点からも、是正されるべき大きな問題点があった。
【先行技術文献】
【特許文献】
【０００３】
【特許文献１】登録実用新案第３１４８１７９号
【発明の概要】
【発明が解決しようとする課題】
【０００４】二足歩行の人間の男子は、直立すると露出している性器（特に陰嚢）は、その構造上から、常に両足のつけ根部分の内側に密着せざるを得ない状態になっている。男子用の全ての下着（パンツ（ブリーフ、トランクス、スポーツ用パンツなど）は、性器全体を押さえ込んで包み込む形態になっている。
このため、いつも両足のつけ根部分に性器（陰茎と陰嚢）が密着する状態となって、特に陰嚢は体温の影響で暖められて生理学的にも問題があり、汗ばむなどの不快感に悩まされている。そこで、男性の性器（特に陰嚢）を両足のつけ根部分に密着させない下着、誰にでも容易に着脱できて、手軽にそして快適に使用できる男性用下着を考案した。【０００５】特許文献２、登録実用新案第３１４８１７９号の提案は、本発明に近いものがあるが、請求項１で、内側に布を縫合すること。〔考案を実施するための最良の形態〕（０００６）で、両側面下部は手を差し入れるために縫わない、としているが、構造上の難点があり、これらを解決して一般的なものとした。
【課題を解決するための手段】
【０００６】男性性器（特に睾丸）を身体（両足のつけ根部分）の密着から開放するために改良した男性用下着（パンツ、ブリーフ、トランクスなど）を提供する。
男性用下着の前面部分を二重にして袋状のポケットのような形態を作り、性器全体（陰茎と陰嚢）をつかみ出して露出させ、そのポケット内に収納する。
そのためにポケットの内側の生地（男性下着の基底部で肌に触れている生地）の中心線に沿って、肛門付近の直近の地点から上部に１０ｃｍ〜１５ｃｍ位の地点まで、性器全体を引っ張り出すための切り込み（開口部）をつける。放尿のための陰茎取り出し口（開口部）については、そのポケットの前面（性器全体を覆っている）の生地に従来の形態と同様に取り付ける。ポケットの右側には、右手で性器全体を袋状のポケットに収納したりするための、開口部を作る。
【発明の効果】
【０００７】男性性器（陰茎と陰嚢）は前部の袋状のポケットに収納されるために、特に陰嚢は、身体の両足のつけ根部分との密着から開放されて、汗によるベトつきなどの不快感を解消して爽快感に優れ、本来の睾丸がもつ冷却機能を充足させることに繋がり、生理学的にも好影響をもたらすものと思われる。
【図面の簡単な説明】
【０００８】
【図１】本発明による男性下着を装着して、横から見た実際の図。
【図２】本発明による男性下着を装着して、前面にポケットがない状態の図。
【図３】本発明による男性下着を装着して、正面から見た実際の図。
【図４】本発明による男性下着の基部の生地の全展開図。
【図５】本発明による男性下着の基部の前面の生地に縫合して、ポケットを形成するための生地。
【発明を実施するための形態】
【０００９】男性用下着の前面部分を二重にして袋状のポケットのような形態を作り、性器全体（陰茎と陰嚢）を基部からつかみ出して露出させ、そのポケット内に収納する。そのために、性器全体をポケット内部に引っ張り出すための、内側（基部）の生地に切り込み（開口部）をつける。放尿のための陰茎取り出し口（開口部）については、そのポケットの前面の性器全体を覆う生地に、従来の形態と同様に取り付ける。ポケットの右側には、右手で性器全体を袋状のポケットに収納したりするための、開口部を作る。
【産業上の利用可能性】
【００１０】製品の製作についての技術的な困難性はなく、特殊な生地や素材を使用する必要がなく低価格で提供できることから、男性用の日用品としての製品の性格上からも、社会的にも大きな役割を果たすことになると思考される。
【符号の説明】
【００１１】Ａ−１    男性下着の基部を形成する前面の生地。
Ａ−２    男性下着の基部を形成する後側の生地。
Ｂ        男性下着の基部の前面を覆って収納ポケットを形成する生地。
ａ    ａ−２と対応してｂまでと、ｃまで縫合する。
ｂ    ｂ−２と対応してａまで縫合する。
ｃ    ｃ−２と対応してｄまでと、ａまで縫合する。
ｄ    ｄ−２と対応してｃまで縫合する。
ｅ    Ｂの定点で、開口部を除いてｆまでと、ｇまで縫合する。
ｆ    Ｂの定点で、開口部を除いてｅまでと、イまで縫合する。
ｇ    Ｂの定点で、ｅまでと、ｈまで縫合する。
ｈ    Ｂの定点で、ｇまでと、ロまで縫合する。
ａ−２    ａと対応してｂ−２までと、ｃ−２まで縫合する。
ｂ−２    ｂと対応してａ−２まで縫合する。
ｃ−２    ｃと対応してｄ−２までと、ａ−２まで縫合する。
ｄ−２    ｄと対応してｃ−２まで縫合する。
イ    ロまで縫合する。
ロ    イまで縫合する。
▲１▼    陰茎を取り出すための開口部。
▲２▼    性器をポケットに収納したりするための開口部。
▲３▼    性器を基部から露出させ、ポケットに収納するための開口部。
Ｄ    男性の性器（陰茎と陰嚢）。
【図１】
2011153396.tif 000003
【図２】
2011153396.tif 000004
【図３】
2011153396.tif 000005
【図４】
2011153396.tif 000006
【図５】
2011153396.tif 000007